(57)【特許請求の範囲】
【請求項１】
通信処理装置が行う通信処理方法であって、
通信の過程において通信の操作指令を受信するステップと、
前記操作指令の送信主体装置を特定するステップと、
前記送信主体装置が現在の通信に使用されている第１通信実行主体装置ではない場合、前記現在の通信を第２通信実行主体装置に切り替えるステップと、
を含み、
前記通信の過程は通話中の過程であり、
ここで、前記送信主体装置、前記第１通信実行主体装置、及び前記第２通信実行主体装置が、それぞれ、前記通信処理装置の受話器、前記通信処理装置に接続されている有線イヤホーン及びＢｌｕｅｔｏｏｔｈ（登録商標）装置のうちの一つであり、
前記現在の通信を前記第２通信実行主体装置に切り替えたステップの後、
さらに、
ユーザーが前記通信処理装置のインターフェースを介して送信した、前記現在の通信を前記第１通信実行主体装置に再び切り替えるように指示する切り替え指令を検出するステップと、
前記現在の通信を前記第２通信実行主体装置から前記第１通信実行主体装置に再び切り替えるステップと、
を含む、通信処理方法。
【請求項２】
ユーザーが前記通信処理装置のインターフェースを介して送信した切り替え指令と、予め設定された切り替えを行うための対応する操作指令がマッチングするか否かを判断するステップを、さらに含み、
前記現在の通信を前記第２通信実行主体装置から前記第１通信実行主体装置に再び切り替えるステップにおいて、
前記判断の結果、ユーザーが前記通信処理装置のインターフェースを介して送信した切り替え指令と予め設定された切り替えを行うための対応する操作指令がマッチングする場合、前記現在の通信を前記第２通信実行主体装置から前記第１通信実行主体装置に再び切り替えるように実行する、
請求項１に記載の通信処理方法。
【請求項３】
前記第２通信実行主体装置は前記操作指令の送信主体装置である、
請求項１又は２に記載の通信処理方法。
【請求項４】
前記切り替えはシームレスな切り替えである、
請求項１〜３のいずれか１項に記載の通信処理方法。
【請求項５】
前記送信主体装置が前記現在の通信に使用されている前記第１通信実行主体装置である場合、前記現在の通信に対して前記操作指令が指示した操作を実行する、
請求項１〜４のいずれか１項に記載の通信処理方法。
【請求項６】
通信の過程において通信の操作指令を受信するための受信ユニットと、
前記操作指令の送信主体装置を特定するための特定ユニットと、
前記送信主体装置が現在の通信に使用されている第１通信実行主体装置ではない場合、前記現在の通信を第２通信実行主体装置に切り替えるための処理ユニットと、
を備え、
前記通信の過程は通話中の過程であり、
ここで、前記送信主体装置、前記第１通信実行主体装置、及び前記第２通信実行主体装置が、それぞれ、通信処理装置の受話器、前記通信処理装置に接続されている有線イヤホーン及びＢｌｕｅｔｏｏｔｈ（登録商標）装置のうちの一つであり、
前記処理ユニットは、さらに、
前記現在の通信を前記第２通信実行主体装置に切り替えた後、
ユーザーが前記通信処理装置のインターフェースを介して送信した、前記現在の通信を前記第１通信実行主体装置に再び切り替えるように指示する切り替え指令を検出し、
前記現在の通信を前記第２通信実行主体装置から前記第１通信実行主体装置に再び切り替えるためのものである、通信処理装置。
【請求項７】
前記処理ユニットは、さらに、
ユーザーが前記通信処理装置のインターフェースを介して送信した切り替え指令と、予め設定された切り替えを行うための対応する操作指令がマッチングするか否かを判断し、
前記判断の結果、ユーザーが前記通信処理装置のインターフェースを介して送信した切り替え指令と予め設定された切り替えを行う対応する操作指令がマッチングする場合、前記現在の通信を前記第２通信実行主体装置から前記第１通信実行主体装置に再び切り替えるように実行するためのものである、
請求項６に記載の装置。
【請求項８】
前記第２通信実行主体装置は前記操作指令の送信主体装置である、
請求項６又は７に記載の装置。
【請求項９】
前記切り替えはシームレスな切り替えである、
請求項６〜８のいずれか１項に記載の装置。
【請求項１０】
前記処理ユニットは、さらに、
前記送信主体装置が前記現在の通信に使用されている前記第１通信実行主体装置である場合、前記現在の通信に対して前記操作指令が指示した操作を実行するためのものである、
請求項６〜９のいずれか１項に記載の装置。
【請求項１１】
プロセッサに実行されることにより、請求項１から請求項５のいずれかに記載の通信処理方法を実現することを特徴とするプログラム。
【請求項１２】
請求項１１に記載のプログラムが記録された記録媒体。
【発明の詳細な説明】
【技術分野】
【０００１】
本発明は、通信技術分野に属し、特に通信処理方法、装置、プログラム、及び記録媒体に関する。
【背景技術】
【０００２】
通信技術の急速な発展に伴い、モバイル端末の機能もますます多くなっており、同じ機能も複数種の通信実行主体により実行されることができる。例えば、スマート型モバイル端末の基本的な通信機能は、Ｂｌｕｅｔｏｏｔｈイヤホーン、有線イヤホーン、またはモバイル端末本体により実行されることができる。
【発明の概要】
【発明が解決しようとする課題】
【０００３】
複数種の装置が同一モバイル端末に接続されている場合、ある装置の誤操作のため、使用している機能が中断されてしまう可能性があり、例えば、スマート型モバイル端末にＢｌｕｅｔｏｏｔｈイヤホーンおよび有線イヤホーンが接続されている場合、有線イヤホーンを用いて受話する際に、他の人が誤ってＢｌｕｅｔｏｏｔｈイヤホーンのボタンを触れると、現在の通信が中断されることがある。
したがって、モバイル端末に複数の装置が接続されている場合、現在の使用されていない通信実行主体に対する誤操作のため、現在の実行している機能が中断され、通信が中断されてしまう可能性がある。
本発明の実施例の目的は、現在の通信に使用されていない通信実行主体の誤操作により誤って通信が中断されてしまう問題を解決するために、通信処理方法、装置、プログラム、及び記録媒体を提供することにある。
【課題を解決するための手段】
【０００４】
本発明の実施例の目的は、次の技術案によって達成される。
本発明の実施例の一形態では、通信処理方法を提供しており、該方法は、
通信の操作指令を受信するステップと、
前記操作指令の送信主体を特定するステップと、
前記送信主体が現在の通信に使用されている第１通信実行主体ではない場合、現在の通信を第２通信実行主体に切り替えるステップと、
を含む。
【０００５】
本発明の実施例の別の一形態では、通信処理装置を提供しており、この装置は、
通信の操作指令を受信するための受信ユニットと、
前記操作指令の送信主体を特定するための特定ユニットと、
前記送信主体が現在の通信に使用されている第１通信実行主体ではない場合、現在の通信を第２通信実行主体に切り替えるための処理ユニットと、
を備える。
本発明の実施例の別の一形態では、プロセッサに実行されることにより、前記の通信処理方法を実現するプログラムを提供する。
本発明の実施例の別の一形態では、前記のプログラムが記録された記録媒体を提供する。
【発明の効果】
【０００６】
本発明の実施例に係る前記通信処理方法および装置では、通信過程において操作指令を受信した場合、操作指令の送信主体を判断することができ、操作指令の送信主体が現在の通信に使用されている通信実行主体ではない場合、現在の通信を現在の通信を続けることができる他の通信実行主体に切り替え、操作指令の送信主体が現在の通信に使用されている通信実行主体である場合にのみ、この操作指令に応答することができる。これにより、通信過程において現在の通信に使用されていない通信実行主体の誤操作により通信が誤って中断されてしまう問題を避ける。
【図面の簡単な説明】
【０００７】
【図１】本発明の実施例に係る通信処理方法のフローチャートである。
【図２】本発明の実施例に係る通信処理装置の構成の模式図である。
【発明を実施するための形態】
【０００８】
本発明に係る通信処理方法によれば、通信過程において、現在の通信に使用されている通信実行主体から送信されていない操作指令を受信した場合、現在の操作指令に直ちに応答せず、現在の通信を他の通信実行主体に切り替える。これにより、他の使用していない通信実行主体から送信される操作指令により誤って現在の通信が中断されてしまう問題を避けることができる。
【０００９】
本発明の実施例１で提供された通信処理方法では、まず、通信の操作指令を受信し、その後、受信された操作指令の送信主体を特定し、送信主体が現在の通信に使用されている第１通信実行主体ではない場合、現在の通信を第２通信実行主体に切り替える。
【００１０】
本発明の実施例２では、実際の適用に基づいて実施例１の通信処理方法について詳細に説明する。本発明の実施例において操作指令が通信終了指令であることを例として説明するが、これに限定されるものではない。
【００１１】
本発明の実施例２に係る通信処理方法の実現過程は、図１に示すように、具体的に下記のステップＳ１０１〜Ｓ１０５を含んでいる。
【００１２】
ステップＳ１０１：通信終了指令を受信する。
具体的には、通信過程において受信された通信終了指令は、端末自体から送信された通信終了指令であってもよく、他の外部装置から送信された通信終了指令であってもよい。例えば、通話過程において、通話を終了させる通信終了指令は、端末（携帯電話）自体の終話ボタンの操作により送信された通信終了指令であってもよく、有線イヤホーンおよびＢｌｕｅｔｏｏｔｈ等の他の外部装置のボタンの操作により送信された通信終了指令であってもよい。
【００１３】
ステップＳ１０２：通信終了指令の送信主体を特定する。
具体的には、通信終了指令を受信した場合、終了指令の情報を解析し、通信終了指令の送信主体を特定する必要がある。
【００１４】
ステップＳ１０３：通信終了指令の送信主体が現在の通信に使用されている第１通信実行主体であるか否かを判断する。
具体的には、現在の通信に使用されている第１通信実行主体、および現在の通信を実行する能力を有するその他の通信実行主体を検出する必要があり、通信終了指令を受信した場合、通信終了指令が含む装置のＩＤ情報に基づいて、この通信終了指令の送信主体が現在の通信に使用されている第１通信実行主体であるか否かを判断し、「はい」であれば、ステップＳ１０４に進み、「いいえ」であれば、ステップＳ１０５に進む。
【００１５】
ステップＳ１０４：現在の通信を終了する。
ステップＳ１０５：現在の通信を第１通信実行主体から現在の通信を続けることができる第２実行主体に切り替えて、現在の通信を継続する。
例えば、切り替えた後の現在の通信を続けることができる第２実行主体は、現在の通信を継続することができ、現在の使用されている第１通信実行主体が終了操作を実行しないことを確保すればよく、通信終了指令を送信する送信主体であってもよく、現在の通信を続けることができる他の通信実行主体であってもよい。
【００１６】
本発明の実施例に係る前記通信処理方法では、通信過程において、モバイル端末が通信終了指令を受信した場合、通信終了指令の送信主体を判断し、通信終了指令の送信主体が現在の使用されている通信実行主体ではない場合、現在の通信を現在の通信を続けることができる他の通信実行主体に切り替え、通信終了指令の送信主体が現在の通信の使用されている通信実行主体である場合にのみ、この通信の終了指令に応答し、且つ現在の通信を終了する。これにより、通信過程において他の通信実行主体の誤操作により誤って通信が中断されてしまう問題を避ける。
【００１７】
例えば、現在の通話を第２通信実行主体に切り替えて現在の通信を継続した後、当該方法は、さらに、ユーザーがモバイル端末のインターフェースを介して、現在の通信を第１通信実行主体に再び切り替えるか否かを選択するステップと、ユーザーがモバイル端末のインターフェースを介して送信した切り替え指令を検出する場合、この切り替え指令に基づいて、現在の通信を第２通信実行主体から第１通信実行主体に再び切り替えるステップと、を含む。
【００１８】
例えば、ユーザは、前記切り替えを行うための操作指令を予め設定することができ、モバイル端末のインターフェースで、装置を切り替えるか否か提示する場合、ユーザは、直接にモバイル端末のインターフェースで相応の操作を行うことができる。モバイル端末のインターフェースを介して送信した切り替え指令と、予め設定された切り替えを行うための操作指令がマッチングするか否かを判断することにより、ユーザが切り替えを行う操作を選択したか否かを確定することができる。判断の結果、ユーザーがモバイル端末のインターフェースを介して送信した切り替え指令と予め設定された切り替えを行うための対応する操作指令とがマッチングする場合、現在の通信を第２通信実行主体から元の第１通信実行主体に再び切り替えるように実行する。
【００１９】
本発明の実施例では、前記ユーザーがモバイル端末のインターフェースを介して現在の通信を元の通信実行主体に再び切り替えるか否かを選択することにより、通信中断の時間を遅延させる一方で、ユーザが他の通信実行主体のボタンを誤って触れた場合、適時に通信過程を元の通信実行主体に再び切り替えることができる。
【００２０】
本発明の実施例３は、実施例２に係る通信処理方法をさらに詳細に説明するものである。本発明の実施例では、モバイル端末の通話過程を例として説明するが、これに限定されるものではなく、モバイル端末およびそれと接続される外部装置によりその他のいかなるオーディオ情報を受話することを例として説明する。
【００２１】
本発明の実施例では、モバイル端末で通話する通信過程において、受話する通信実行主体は、モバイル端末の受話器であってもよく、有線イヤホーンやＢｌｕｅｔｏｏｔｈ装置などの他の外部装置であってもよい。前記のいずれかの通信実行主体を使用して受話する過程において、誤ってその他の通信実行主体のボタンを触れる場合、通話の中断を起こす可能性がある。
【００２２】
本発明の実施例では、モバイル端末に異なる外部装置が接続されるとき、本発明の実施例１に係る通信処理方法を使用し通話する通信過程に基づいて説明しますが、これに限定されるものではない。
具体的には、まず、モバイル端末は、現在の通話に使用された通信実行主体、および接続された外部装置を判断する。
【００２３】
Ａ、モバイル端末には有線イヤホーンとＢｌｕｅｔｏｏｔｈが同時に接続される
Ａ１：モバイル端末が現在、受話器を使用して受話することを判断する場合、モバイル端末の終話ボタンを触れると、直接に電話を切る。有線イヤホーン、またはＢｌｕｅｔｏｏｔｈのボタンを触れると、現在の通話過程において受話している装置を受話器から有線イヤホーンまたはＢｌｕｅｔｏｏｔｈに切り替える。
【００２４】
Ａ２：モバイル端末が現在、有線イヤホーンを使用して受話することを判断する場合、Ｂｌｕｅｔｏｏｔｈ装置のボタンを触れると、現在の通話過程をＢｌｕｅｔｏｏｔｈ装置に切り替えて、Ｂｌｕｅｔｏｏｔｈ装置を使用して現在の受話を行い、Ｂｌｕｅｔｏｏｔｈ装置から送信された終了指令にのみ応答する。モバイル端末のボタンを触れると、現在の通話過程を端末の受話器に切り替えており、有線イヤホーンがモバイル端末の受話器を入れ換えることができるため、継続して有線イヤホーンを使用して受話することができる。
【００２５】
Ａ３：モバイル端末が現在、Ｂｌｕｅｔｏｏｔｈ装置を使用して受話することを判断する場合、Ｂｌｕｅｔｏｏｔｈ装置のボタンを触れると、直接に通話を終了する。有線イヤホーンのボタンを触れると、現在の通話を有線イヤホーンに切り替えて、受話する装置をＢｌｕｅｔｏｏｔｈ装置から有線イヤホーンに切り替える。モバイル端末のボタンを触れると、有線イヤホーンがモバイル端末の受話器を入れ換えることができるため、継続して有線イヤホーンを使用して受話することができる。
【００２６】
Ｂ、モバイル端末にＢｌｕｅｔｏｏｔｈ装置のみが接続される
Ｂ１：モバイル端末が現在、Ｂｌｕｅｔｏｏｔｈ装置を使用して受話することを判断する場合、Ｂｌｕｅｔｏｏｔｈ装置のボタンを触れると、直接に通話を終了する。モバイル端末のボタンを触れると、現在の通話に使用されている装置をＢｌｕｅｔｏｏｔｈ装置からモバイル端末の受話器に切り替える。
【００２７】
Ｂ２：モバイル端末が現在、受話器を使用して受話することを判断する場合、モバイル端末自体の終話ボタンを触れると、通話を終了する。Ｂｌｕｅｔｏｏｔｈ装置のボタンを触れて通話終了指令を送信したことを検出すると、現在の通話を受話器からＢｌｕｅｔｏｏｔｈに切り替える。
現在のモバイル端末にはＢｌｕｅｔｏｏｔｈ装置のみが接続されているため、有線イヤホーンが現在の通話に関与しない。
【００２８】
Ｃ、モバイル端末に有線イヤホーンのみが接続される
有線イヤホーンのボタンを触れると、現在の通話を終了する。モバイル端末の終話ボタンを触れると、通話をモバイル端末の受話器に切り替える。
例えば、本発明の実施例において、前記のように、有線イヤホーンがモバイル端末の受話器を入れ替えることができるため、モバイル端末のボタンを触れると、有線イヤホーンを使用して、継続して受話することができるが、通話の中断を避けるために、通話過程を端末の受話器に切り替える必要がある。
【００２９】
Ｄ、モバイル端末にいかなる外部装置が接続していない
この場合、モバイル端末が端末自体から送信された通話終了指令にのみ応答し、通話終了指令があると、切り替えを行わぜ現在の通話を直接に終了する。
例えば、前記過程において、通話終了指令が現在の通話に使用されている受話装置のものではない場合、直接に現在の通話を通話終了指令を送信する装置に切り替えることができる。また、受話装置を切り替えた後、インタフェースで、受話装置を切り替えるか否かを選択するようにユーザーに提示し、ユーザーが「はい」を選択すれば、通話を元の受話装置に再び切り替えることができる。通話中断の時間を遅延させる一方で、誤操作の場合でも通話を適時に元の受話装置に再び切り替えることができる。
【００３０】
例えば、ユーザーは、現在の受話装置で、現在の通話に対応する操作指令、例えば、ボタンをタッチする指令、または画面をスライドする指令等を受話するか否かを予め設定することができる。ユーザーがインタフェースを介して切り替え指令を送信した場合、モバイル端末が予め設定された操作指令とマッチングするか否かを判断し、マッチングした場合、現在の受話装置を元の受話装置に切り替えて、現在の通話を行う。
例えば、前記切り替えの過程は、シームレスな切り替えであってもよく、通話を中断せず、異なる受話装置の間で切り替え、通話過程を最適化し、体験度を向上させることができる。
【００３１】
本発明の実施例に係る前記通話処理方法では、現在の通信に使用されていない受話装置から通話終了指令を送信する場合、終了指令に応答して現在の通話を終了しておらず、受話装置を切り替える。これにより、モバイル端末に複数の外部装置が接続されるとき誤操作で通話が中断されてしまうことを避け、且つ、適当なタイミングに、切り替えるか否かについて提示することにより、ユーザーにより現在の受話装置を切り替えることが許可され、誤操作の場合、適時に元の通話を実行する受話装置に再び切り替える。
【００３２】
本発明の実施例４では、さらに、前記通信処理方法を実行するための通信処理装置を提供し、具体的に、当該処理装置は、図２に示すように、
通信操作指令を受信するための受信ユニット２１と、
受信された操作指令の送信主体を特定するための特定ユニット２２と、
特定ユニット２１により特定された送信主体が現在の通信に使用されている第１通信実行主体ではない場合、現在の通信を第２通信実行主体に切り替えるための処理ユニット２３と、を備える。
例えば、処理ユニット２３は、さらに、送信主体が現在の通信に使用されている第１通信実行主体である場合、現在の通信に対して操作指令が指示した操作を実行するためのものである。
【００３３】
例えば、処理ユニット２３、さらに、現在の通信を第２通信実行主体に切り替えた後、
ユーザーがモバイル端末のインターフェースを介して送信した、現在の通信を第１通信実行主体に再び切り替えるように指示する切り替え指令を検出し、
現在の通信を第２通信実行主体から第１通信実行主体に再び切り替える。
【００３４】
具体的には、ユーザーがモバイル端末のインターフェースを介して送信した切り替え指令を検出した後、ユーザーがモバイル端末のインターフェースを介して送信した切り替え指令と、予め設定された切り替えを行うための対応する操作指令がマッチングするか否かを判断し、判断の結果、ユーザーがモバイル端末のインターフェースを介して送信した切り替え指令と、予め設定された切り替えを行うための対応する操作指令がマッチングする場合、現在の通信を第２通信実行主体から第１通信実行主体に再び切り替えるように実行する。
例えば、第２通信実行主体は、操作指令の送信主体である。
例えば、前記切り替えは、シームレスな切り替えである。
【００３５】
本発明の実施例に係る通信処理装置では、通信過程において、操作指令を受信した場合、操作指令の送信主体を判断することができ、操作指令の送信主体が現在の通信に使用されている通信実行主体ではない場合、現在の通信を他の通信実行主体に切り替えて、操作指令が現在の通信に使用されている通信実行主体である場合にのみ、対応の操作指令に応答することができる。これにより、通信の過程において、他の通信実行主体の誤操作により現在の通信過程が中断されてしまうことを避けた。
もちろん、当業者は、本発明の主旨と範囲を逸脱しない範囲で本発明に対してさまざまな補正と変形を行うことができる。このように、本発明のこれらの補正と変形が本発明の特許請求の範囲、及びその均等な技術の範囲に属している場合、本発明はこのような補正と変形も含むことを意図する。
【図１】
0006310910.tif 000002
【図２】
0006310910.tif 000003